(57)【要約】      （修正有）【課題】塗装用刷毛の保持状態を改善することにより、刷毛部から塗料がたれ落ちるのを防止して周辺の汚れをなくし、作業中断後における作業再開前の刷毛部の解きほぐし作業および柄部に付着した塗料の剥離除作業などを省略することで使用性を向上させ、かつ梯子昇降時の作業性を向上させるとともに、刷毛部の種類にかかわらず塗料を含んだ状態で変形して固化する不都合の発生を防止して、長期使用を可能にすることができる塗装用刷毛の収納容器を提供する。【解決手段】上端を開口した容器本体１１に着脱可能に取り付けられる塗装用刷毛３１の収納容器であって、上記容器本体の上端部周縁に着脱可能に係止できる取付部１７を備えるとともに、容器本体の内側に保持される刷毛入れ部１５とを備え、刷毛入れ部の底部には塗料のたまりを解消する塗料抜き１９を有し、かつ異なる刷毛を分別収納する中仕切り２１を設ける。【選択図】図５
2005112387.tif 000002
【特許請求の範囲】
【請求項１】
上端を開口した容器本体に着脱可能に取り付けられる塗装用刷毛の収納容器であって、上記容器本体の上端部周縁に着脱可能に係止できる取付部を備えるとともに、容器本体の内側に保持される刷毛入れ部とを備え、刷毛入れ部の底部には塗料のたまりを解消する塗料抜きを有し、かつ異なる刷毛を分別収納する中仕切りを設けたことを特徴とする塗装用刷毛の収納容器。
【発明の詳細な説明】
【技術分野】
【０００１】
本発明は、塗装用刷毛の保持状態を改善して、塗装用刷毛の使用性および経済性を向上させる塗装用刷毛の収納容器に関する。
【背景技術】
【０００２】
水性塗料および油性塗料の塗装に使用される塗装用刷毛は、作業中や作業終了時に刷毛を一旦特開２００１−３１０５０公報（特許文献１参照）に示すように、容器本体の開口部にすり切り部材を設けて塗料を掻き落とした上で刷毛を別に保管したり、単に塗料中に直に落とし込んで容器本体内に保持することが多い。その場合、刷毛を別に保管することは面倒であり、また塗料中に直に落とし込んで容器本体内に保持する場合、刷毛が倒れて刷毛の取手の部分に塗料が付着し、その後の作業がしにくくなったり、刷毛の毛の部分に付着した塗料が固まって刷毛が使いずらくなってしまっていた。
【０００３】
そこで、実開昭６２−１３０７７２号公報（特許文献２参照）のように容器本体の内部に網状の棚を設けたり、容器本体内部を仕切って刷毛を容器本体内に収納したり、登録実用新案第３０３２５００号公報（特許文献３参照）のように刷毛の収納容器を容器本体の外側に取り付けるようにした塗料用刷毛の収納容器が提案されている。
【特許文献１】特開２００１−３１０５０公報
【特許文献２】実開昭６２−１３０７７２号公報
【特許文献３】登録実用新案第３０３２５００号公報
【発明の開示】
【発明が解決しようとする課題】
【０００４】
しかしながら、すり切り部材を設けて塗料を掻き落とした上、刷毛を容器本体とは別に保管すると、作業を開始したり再開する場合に刷毛をいちいち探す必要があって面倒であった。
また、容器本体の内部に網状の棚を設けた場合、刷毛が乾燥しやすく、すぐに作業を再開できなかったり、棚から刷毛が落ちやすいために移動には不向きであった。また、容器本体内部を仕切って刷毛を容器本体内に収納するようにした場合、容器本体そのものが高価となってしまったり、塗料の収納量が減ってしまって経済的に不利になるという欠点を有している。
さらに、刷毛の収納容器を容器本体の外側に取り付けるようにした塗料用刷毛の収納容器においては、刷毛の毛の部分に付着した塗料が固まって刷毛が使いずらくなってしまったり、梯子を昇降して作業を行う場合は、刷毛の収納容器が邪魔になってきわめて作業性が悪いという欠点を有している。
【０００５】
そこで本発明は、塗装用刷毛の保持状態を改善することにより、刷毛部から塗料がたれ落ちるのを防止して周辺の汚れをなくし、作業中断後における作業再開前の刷毛部の解きほぐし作業および柄部に付着した塗料の剥離除作業などを省略することで使用性を向上させ、かつ梯子昇降時の作業性を向上させるとともに、刷毛部の種類にかかわらず塗料を含んだ状態で変形して固化する不都合の発生を防止して、長期使用を可能にすることができる塗装用刷毛の収納容器を提供しようとするものである。
【課題を解決するための手段】
【０００６】
そこで、前記目的を達成するために、この発明の塗装用刷毛の収納容器は、上端を開口した容器本体に着脱可能に取り付けられる塗装用刷毛の収納容器であって、上記容器本体の上端部周縁に着脱可能に係止できる取付部を備えるとともに、容器本体の内側に保持される刷毛入れ部とを備え、刷毛入れ部の底部には塗料のたまりを解消する塗料抜きを有し、かつ異なる刷毛を分別収納する中仕切りを設けたことを特徴とするものである。
【発明の効果】
【０００７】
この発明によれば、取付部を塗料容器の容器本体の上端部周縁に係止することにより、刷毛入れを塗料容器の内側に一体に結合して、塗装作業時に刷毛入れを塗料容器の容器本体とともに、しかも邪魔にならないように携行することができる。
また、刷毛の毛の部分だけを塗料の中に浸しておけるので乾燥しにくく、作業中断後における作業再開前の刷毛部の解きほぐし作業および柄部に付着した塗料の剥離除作業を省略でき、刷毛部の種類にかかわらず塗料を含んだ状態で変形して固化する不都合の発生を防止できる。また、梯子昇降時に一方の手で塗料容器を持ち、他方の手で梯子を掴むことができる。
さらに、刷毛が刷毛入れ部内で転ぶことがなく、柄の部分が汚れて使いづらくなることもない。
【発明を実施するための最良の形態】
【０００８】
以下、本発明の塗装用刷毛の収納容器の実施の形態を図面に基いて詳細に説明する。
図１は本発明の塗装用刷毛の収納容器の容器本体への組み付け前の状態を示す斜視図、図２は収納容器の組み付け状態を示す斜視図、図３はこの発明の塗装用刷毛の収納容器の平面図、図４はその断面図、図５は収納容器の組み付け状態を示す断面図である。
【０００９】
図１および図２において、この発明の塗装用刷毛の収納容器は、上端に開口部１３を形成した容器本体１１と、この容器本体１１の上端部周縁に着脱可能に係止できる取付部１７を備え、容器本体１１の内側に保持される刷毛入れ部１５とを備えている。また、上記刷毛入れ部１５の底部には塗料のたまりを解消する塗料抜き１９を有し、かつ異なる刷毛を分別収納する中仕切り２１を立設している。２３は容器本体１１の取手である。
【００１０】
上記構成において、この発明の塗装用刷毛の収納容器を構成する刷毛入れ部１５は、種々の素材、たとえば金属やプラスチック、耐水処理を施した木材、その他の素材を適宜利用することができる。
【００１１】
そして図１ないし図４に示すように、刷毛入れ部１５を上記素材を用いて容器状に成形し、一面を平らに、他面を塗料の容器本体１１の凹面に沿った円弧状曲面を有するよう形成し、かつ下つぼまりのテーパ状にしておく。その際、刷毛入れ部１５の底面には塗料のたまりを解消する塗料抜き１９を所定の間隔で複数形成し、また異なる刷毛を分別収納する中仕切り２１を、Ｌ字状に形成してその１辺を固着部２５とし、この固着部２５を上記底面に固着することにより立設している。
上記塗料抜き１９は刷毛入れ部１５に塗料が溜まるのを防止し、塗料を常に適当な液位に保てるよう機能する。
また中仕切り２１は、大小の刷毛を区分けして収納することを可能とし、しかも刷毛が倒れないよう保持する役目を有している。
なお、刷毛入れ部１５は下つぼまりのテーパ状に形成してあるので、運搬や収納のために重ねる際に刷毛入れ部１５を積み重ねることが可能であり、コンパクトに収納することができる。
【００１２】
上記刷毛入れ部１５の塗料の容器本体１１の凹面に沿った円弧状部分２７の上端には、コ字状断面の取付部１７が取り付けられ、上記容器本体１１の上端部周縁に着脱可能に係止できるようになっている。そして、この取付部１７は円弧状部分２７の上端から所定の長さで突き出すように形成されており、容器本体１１に取り付けると、図５のように容器本体１１の開口部１３から下がった位置に開口を有するようセットされる。
なお、２９は刷毛３１に付着した塗料を掻き落とすためのすり切り部で、刷毛入れ部１５の平らな側壁の上端を外向きに折り返して形成されている。このようにすれば、刷毛３１の毛が刷毛入れ部１５の端面で切れることがない。
【００１３】
このような構成としたので、取付部１７を容器本体１１の上端部周縁に係止することにより、刷毛入れ部１５を容器本体１１内側に一体に結合して、塗装作業時に塗料容器とともに携行することができる。その際、刷毛入れ部１５に収納した塗料の付着した刷毛３１は、サイズや種類に応じて中仕切り２１の両側に区分けして収納され、底面の塗料抜き１９から付着した塗料が容器本体１１へ排出される。
【００１４】
すなわち、作業中断後における作業再開前の刷毛の解きほぐし作業および柄に付着した塗料の剥離除去作業を省略できるので、刷毛の使用性が向上する。しかも、刷毛の種類にかかわらず塗料を含んだ状態で変形して固化する不都合の発生を防止できるので、刷毛の再使用が可能になって長期間使用できるから経済的に有利である。
【００１５】
このように、刷毛３１を刷毛入れ部１５に収納した状態で、有底箱状の容器本体１１により刷毛を保持することができることにより、梯子昇降時に一方の手で塗料容器を持ち、他方の手で梯子を掴むことができるので、安全度が高くなり、それだけ作業性がよくなる。もちろん、容器本体１１を首から吊り下げるようにすれば、両手が開放されるのでより安全で作業性もよくなる。
【００１６】
なお、前記実施の形態では、塗装用刷毛の刷毛入れ部１５をプラスチックによって成形した構成で説明しているが金属によって成形してもよい。また、取付部１７の数は１つにのみ限定されるものではなく、１つもしくは２つ以上の任意の数を選択できるとともに、刷毛入れ部１５と取付部１７とを別々に製作したのち、両者を一体に結合した構造であってもよい。さらに、後部側壁は必ずしも横方向において円弧状にせず、直線状に形成してもよい。
【産業上の利用可能性】
【００１７】
この発明の塗装用刷毛の収納容器は、塗料の刷毛を収納する用途のみならず、その他適宜の材料のための刷毛や、書道用に使用する筆、あるいは刷毛に似通った道具の収納に適宜使用することができる。
【図面の簡単な説明】
【００１８】
【図１】本発明の塗装用刷毛の収納容器の容器本体への組み付け前の状態を示す斜視図である。
【図２】収納容器の組み付け状態を示す斜視図である。
【図３】この発明の塗装用刷毛の収納容器の平面図である。
【図４】その断面図である。
【図５】収納容器の組み付け状態を示す断面図である。
【符号の説明】
【００１９】
１１  容器本体
１３  開口部
１５  刷毛入れ部
１７  取付部
１９  塗料抜き
２１  中仕切り
２３  取手
２５  固着部
２７  円弧状部分
２９  すり切り部
３１  刷毛
【図１】
2005112387.tif 000003
【図２】
2005112387.tif 000004
【図３】
2005112387.tif 000005
【図４】
2005112387.tif 000006
【図５】
2005112387.tif 000007